(57)【要約】      （修正有）【課題】回転体の回転角度の精密な測定を低コストで容易に行うことができる角度測定システムを提供する。【解決手段】回転体２の回転軸周りの回転角度を測定する角度測定システム４であって、回転体２の回転軸に対して回動可能に取り付けられたエンコーダー７と、回転体２に固定されたエンコーダーセンサー４ｅと、エンコーダー７及びエンコーダーセンサー４ｅによる回転体２の回転軸周りの回転角度の計測の基準位置を検出する基準位置検出部と、エンコーダーセンサー４ｅの出力値に基づき回転体２の回転軸周りの基準位置からの回転角度を測定する測定部と、を備え、基準位置検出部は、エンコーダー７と共に回転軸を中心として回動する撮像装置４ｄと、撮像装置４ｄにより撮像した画像を用いて基準位置を検出する検出部を有する。【選択図】図２
2019194525.tif 000002
【特許請求の範囲】
【請求項１】
回転体の回転軸周りの回転角度を測定する角度測定システムであって、
前記回転体の前記回転軸に対して回動可能に取り付けられたエンコーダーと、
前記回転体に固定されたエンコーダーセンサーと、
前記エンコーダー及び前記エンコーダーセンサーによる前記回転体の前記回転軸周りの回転角度の計測の基準位置を検出する基準位置検出部と、
前記エンコーダーセンサーの出力値に基づき前記回転体の前記回転軸周りの前記基準位置からの回転角度を測定する測定部と、を備え、
前記基準位置検出部は、
前記エンコーダーと共に前記回転軸を中心として回動する撮像装置と、
前記撮像装置により撮像した画像を用いて前記基準位置を検出する検出部を有する角度測定システム。
【請求項２】
前記基準位置検出部は、
前記エンコーダー及び前記撮像装置を前記回転体の前記回転軸を中心として回動させる駆動部と、
前記撮像装置により前記基準位置の検出に用いる基準部材を撮像した場合に、前記撮像装置により撮像した画像中の前記基準部材の位置が所定の位置になるように、前記駆動部により前記エンコーダー及び前記撮像装置の回動位置を制御する制御部と、
を備える請求項１記載の角度測定システム。
【請求項３】
前記撮像装置により撮像された画像に基づいて前記撮像装置の回動位置の前記基準位置からの角度誤差を算出する算出部と、
前記算出部により算出された前記角度誤差を用いて前記測定部により測定された回転角度を補正する補正部を備える請求項１または２記載の角度測定システム。
【請求項４】
前記基準部材は前記回転体が回転した際に位置が変動しない部材に形成されたマークまたは前記部材が有する縦線である請求項１〜３の何れか一項に記載の角度測定システム。
【発明の詳細な説明】
【技術分野】
【０００１】
本発明は、回転体の回転角度を精密に測定する角度測定システムに関する。
【背景技術】
【０００２】
従来、工作機器などにおける回転体等の回転角度をロータリーエンコーダーを用いて測定する角度測定システムが存在する（特許文献１参照）。この角度測定システムにおいては、治具により固定されたエンコーダー本体に取付けられたエンコーダー読み取りヘッドにより、回転体に取付けられたエンコーダーの回転角度を測定する際に、干渉ユニット、コーナーキューブ、レーザ光源及び位相差検出ヘッドなどにより構成される非接触角度検出手段により、エンコーダー本体の傾斜角度を検出し、ロータリーエンコーダーにより検出された回転体の回転角度を非接触角度検出手段により検出されたエンコーダー本体の傾斜角度に基づいて補正することにより回転体の回転角度を精密に測定している。
【先行技術文献】
【特許文献】
【０００３】
【特許文献１】特許第５１１５８７２号公報
【発明の概要】
【発明が解決しようとする課題】
【０００４】
しかし上述の角度測定システムにおいては、非接触角度検出手段を構成する干渉ユニット、コーナーキューブ及びレーザ光源等を精度良く設置する必要があり設置に手間がかかる。更に干渉ユニット、コーナーキューブ及びレーザ光源などが高価であることから角度測定システムの製造コストを低減させることが困難であった。
【０００５】
本発明の目的は、工作機器などにおける回転体の回転角度の精密な測定を低コストで容易に行うことができる角度測定システムを提供することである。
【課題を解決するための手段】
【０００６】
本発明の角度測定システムは、回転体の回転軸周りの回転角度を測定する角度測定システムであって、前記回転体の前記回転軸に対して回動可能に取り付けられたエンコーダーと、前記回転体に固定されたエンコーダーセンサーと、前記エンコーダー及び前記エンコーダーセンサーによる前記回転体の前記回転軸周りの回転角度の計測の基準位置を検出する基準位置検出部と、前記エンコーダーセンサーの出力値に基づき前記回転体の前記回転軸周りの前記基準位置からの回転角度を測定する測定部と、を備え、前記基準位置検出部は、前記エンコーダーと共に前記回転軸を中心として回動する撮像装置と、前記撮像装置により撮像した画像を用いて前記基準位置を検出する検出部を有する。
【０００７】
また本発明の角度測定システムは、前記基準位置検出部が前記エンコーダー及び前記撮像装置を前記回転体の前記回転軸を中心として回動させる駆動部と、前記撮像装置により前記基準位置の検出に用いる基準部材を撮像した場合に、前記撮像装置により撮像した画像中の前記基準部材の位置が所定の位置になるように、前記駆動部により前記エンコーダー及び前記撮像装置の回動位置を制御する制御部とを備える。
【０００８】
また本発明の角度測定システムは、前記撮像装置により撮像された画像に基づいて前記撮像装置の回動位置の前記基準位置からの角度誤差を算出する算出部と、前記算出部により算出された前記角度誤差を用いて前記測定部により測定された回転角度を補正する補正部を備える。
【０００９】
また本発明の角度測定システムは、前記基準部材は前記回転体が回転した際に位置が変動しない部材に形成されたマークまたは前記部材が有する縦線である。
【発明の効果】
【００１０】
本発明によれば、工作機器などにおける回転体の回転角度の精密な測定を低コストで容易に行うことができる角度測定システムを提供することができる。
【図面の簡単な説明】
【００１１】
【図１】実施の形態に係る角度測定システムの外観を示す斜視図である。
【図２】実施の形態に係る角度測定システムを構成する角度測定ユニットの内部構成を示す図である。
【図３】実施の形態に係る角度測定システムのシステム構成を示す図である。
【図４】実施の形態に係る角度測定システムを構成する表示部の表示状態を示す図である。
【発明を実施するための形態】
【００１２】
以下、図面を参照して、本発明の実施の形態に係る角度測定システムについて説明する。図１は実施の形態に係る角度測定システムの外観を示す斜視図である。角度測定システムは、工作機械などが有する回転体、例えば回転テーブル２の回転軸周りの回転角度を角度測定ユニット４を構成するエンコーダーセンサー４ｅ及びエンコーダー７（図２参照）を用いて測定する。エンコーダー７は円盤形状を有し、円盤形状の全周にわたり目盛が形成されており、この目盛をエンコーダーセンサー４ｅで読取ることにより回転テーブル２の回転角度を測定する。
【００１３】
図２は実施の形態に係る角度測定システムを構成する角度測定ユニット４の内部構成を示す図である。図２に示すように角度測定システムは、回転テーブル２上に設置された角度測定ユニット４を備えている。角度測定ユニット４の筐体４ａは、回転テーブル２に固定されている。筐体４ａ内には、回転テーブル２の回転軸に沿って延びる支持部材４ｂが配置されており、支持部材４ｂの下端部は、回転テーブル２に固定され支持部材４ｂを回動させるモーター（駆動部）４ｃに接続されている。支持部材４ｂのモーター（駆動部）４ｃの上部には、エンコーダー７が取り付けられている。更に支持部材４ｂの上端部にはレンズ５及び撮像部（図示せず）を有するカメラ（撮像装置）４ｄが取り付けられている。即ちエンコーダー７及びカメラ４ｄは、回転テーブル２の回転軸に対して回動可能に取り付けられており、モーター４ｃを回転させることにより、エンコーダー７及びカメラ４を回転テーブル２の回転軸を中心として回転テーブル２に対して回動させることができる。
【００１４】
筐体４ａの内壁のエンコーダー７の外縁部に対向する位置にエンコーダーセンサー４ｅが固定されている。即ちエンコーダーセンサー４ｅは、回転テーブル２が回転軸周りに回転するとエンコーダー７の外縁部に沿って回転し、エンコーダー７に形成されている目盛を読取ることにより回転テーブル２の回転角度を測定する。
【００１５】
図３は実施の形態に係る角度測定システムのシステム構成を示す図である。角度測定システムは、角度測定ユニット４及びパーソナルコンピューター（ＰＣ）などにより構成される制御装置６を備えている。上述のように角度測定ユニット４は、カメラ４ｄ、モーター４ｃ及びエンコーダーセンサー４ｅを備えている。また制御装置６は、制御部６ａ、入力部６ｂ、表示部６ｃ及び記憶部６ｄを備えている。制御装置６は、工作機械の回転テーブル２を回転させる回転テーブル駆動部２ａを制御して、回転テーブル２を所定角度回転させる。
【００１６】
また制御装置６は、角度測定ユニット４のカメラにより撮像したマーク（基準部材）８の画像を用いて、エンコーダー７及びエンコーダーセンサー４ｅによる回転テールの２の回転軸周りの回転角度の計測の基準位置を検出する。ここでマーク８は、回転テーブル２が回転した際に位置が変動しない工作機械の部材に、マグネット等により取付けたものである。
【００１７】
また制御装置６は、エンコーダーセンサー４ｅの出力値に基づき回転テーブル２の回転軸周りの基準位置からの回転角度を測定する。更に角度測定ユニット４のカメラ４ｄにより撮像した画像を用いて、カメラ４ｄの回動位置の基準位置からの角度誤差を算出し、算出された角度誤差を用いて、エンコーダーセンサー４ｅの出力値に基づき測定された回転角度を補正する。
【００１８】
次に角度測定システムを用いた回転テーブル２の回転角度の測定について、制御装置６から回転テーブル２の駆動部２ａに対して、３０°回転させる指示を行った場合を例にして説明する。まず入力部６ｂから回転テーブル２の回転角度である３０°を入力する。なお角度測定システムを用いた回転テーブル２の回転角度の測定は、記憶部６ｄに記憶されているプログラムに従って制御部６ａの制御により行われる。
【００１９】
制御部６ａは、角度測定ユニット４のカメラ４ｄにマーク８の撮像を所定時間間隔で繰り返し行わせ、撮像された画像を順次取得す。図４（ａ）は制御装置６の表示部６ｃにカメラ４ｄにより撮像された画像が表示されている状態を示している。この状態においてマーク８が画像の幅方向の中心（画像中の縦破線上）に位置していない場合には、制御部６ａは、角度測定ユニット４のモーター４ｃを回転させて、マーク８を画像の幅方向の中心（画像中の縦破線上）に位置させる。
【００２０】
制御部６ａは、回転テーブル２の駆動部２ａを制御して回転テーブル２を３０°回転させる。この場合に回転テーブル２が回転軸を中心として回転することにより、角度測定ユニット４も回転テーブル２と共に回転する。従って表示部６ｃに表示されているマーク８は、例えば図４（ｂ）の実線で示す方向に移動するが、制御部６ａは角度測定ユニット４のモーター４ｃを回転させることにより、カメラ４ｄ及びエンコーダー７を回転テーブル２の回転軸を中心として回転テーブル２の回転方向と逆方向に回動させて、マーク８を画像の幅方向の中心に位置させるように制御する。即ち回転テーブル２が回転したときに角度制御ユニット４のエンコーダー７及びカメラ４ｄの回転角度が０°となるように制御する。
【００２１】
この制御によりエンコーダーセンサー４ｅがエンコーダー７の外縁部に沿って回転し、エンコーダー７に形成されている目盛を読取ることにより回転テーブル２の回転角度を測定する。
【００２２】
また制御部６ａは、カメラ４ｄにより撮像された画像に基づいてカメラ４ｄ及びエンコーダー７の回動位置の基準位置からの角度誤差を算出する。即ち制御部６ａは角度測定ユニット４のモーター４ｃを回転させることによりマーク８を画像の幅方向の中心に位置させるように制御するが、マーク８の位置が画像の幅方向の中心に対して誤差を持った状態となる場合がある。従って、この場合には、制御部６ａはカメラ４ｄにより撮像された画像に対して画像処理を行うことによりカメラ４ｄ及びエンコーダー７の回動位置の基準位置からの角度誤差を算出し、この角度誤差を用いてエンコーダーセンサー４ｅにより測定された回転テーブル２の回転角度を補正する。この補正により回転テーブル２の回転角度を精密に測定することができる。
【００２３】
この実施の形態に係る角度測定システムによれば、干渉ユニット、コーナーキューブ及びレーザ光源などの高精度な設置が必要なくなることから、工作機器などにおける回転テーブル２の回転角度の精密な測定を容易に行うことができる。また干渉ユニット、コーナーキューブ及びレーザ光源など高価な部品を使用しないため角度測定システムの製造コストを低減させることができる。従って、工作機器の出荷時などにおいて、回転テーブルの回転角度の制御の精密さの程度を容易に、かつ低コストで測定することができる。
【００２４】
なお上述の実施の形態においては、基準部材として回転テーブル２が回転した際に位置が変動しない工作機器などの部材に、マグネット等により取付けたマーク８を用いているが、基準部材として工作機器を構成する部材の角（辺）などを構成する縦線を用いてもよい。
【符号の説明】
【００２５】
２…回転テーブル、４…角度測定ユニット、４a…筐体、４ｂ…支持部材、４ｃ…モーター、４ｄ…カメラ、４ｅ…エンコーダーセンサー、５…レンズ、６…ＰＣ、７…エンコーダー、８…マーク
【図１】
2019194525.tif 000003
【図２】
2019194525.tif 000004
【図３】
2019194525.tif 000005
【図４】
2019194525.tif 000006